(57)【特許請求の範囲】
【請求項１】
床面Ａに取り外し可能に備えられて、床面開口部Ｂを覆う蓋体１に、床面開口部Ｂに嵌挿される排水管Ｃが連結される排水管接続部３と、洗濯機排水ホースＤがホースジョイント６を介して連結されるホース接続部２とを設け、該ホース接続部２に形成したネジ部１５にパッキンホルダー１２を着脱自在に螺合して、前記蓋体１と、該蓋体１に形成した取付孔１４のある床取付けネジ部を覆うようにカバーを設けた前記パッキングホルダー１２を介してホースジョイント６とを被覆一体化する構成としたもので、前記蓋体１の排水管接続部３と前記ホースジョイント６とに嵌挿保持されるスロート７と、該スロート７に嵌合される封水筒体８を排水管Ｃ内に配備したことを特徴とする排水トラップ。
【請求項２】
請求項１に記載の排水トラップにおいて、前記ホースジョイント６が、エルボ管体で一端口部４は前記ホース接続部３に嵌挿され、かつ他端口部５は洗濯機排水ホースＤに嵌挿される構成とし、管体外周に前記パッキンホルダー６に圧接される円錐状のフランジ部１６を突設したことを特徴とする排水トラップ。
【請求項３】
請求項１または２に記載の排水トラップにおいて、前記スロート７が、蓋体１の排水管接続部３に嵌装保持される大径筒部７１に傾斜壁からなるテーパー筒部７２を介して、小径筒部７３を一体成形した管体であって、該スロート７の大径筒部７１に嵌合される保持筒部８１に連結片８２を介して設けられ、略全周面に開口８４のある封水筒体８を排水管Ｄ内で、前記スロート７の小径筒部７３の外周部と下部とに流水用の隙間をあけて配備したことを特徴とする排水トラップ。
【請求項４】
請求項３に記載の排水トラップにおいて、前記蓋体１の排水管接続部３の開口端内周に前記封水筒体８の保持筒部８１を嵌支するフランジ３１を設け、筒状の排水管接続部３の外周に排水管Ｄを嵌合連結し、前記封水筒体８の保持筒部８１を前記スロート７の大径筒部７１外周と、前記蓋体１の排水管接続部３内周との間に嵌装し、該保持筒部８１の開口端を前記スロート７の大径筒部７１とともに、前記ホースジョイント６に圧接保持したことを特徴とする排水トラップ。
【請求項５】
請求項３または４に記載の排水トラップにおいて、前記保持筒部８１の下端に一対の断面コ字状の連結片８２によって、カップ状の封水筒体８を垂下状態に一体成形し、前記排水管Ｄ内に流水用の隙間をあけて配備し、前記封水筒体８を支持する連結片８２に前記スロート７のテーパー筒部７２を載置する傾斜面８３を備えたことを特徴とする排水トラップ。
【発明の詳細な説明】
【０００１】
【発明の属する技術分野】
本発明は、洗い場或いはバスルームやマンションの台所、洗面所、ベランダ或いは各種キャビネット内など床面の排水口に取り付けられる排水トラップ、特に洗濯機などの排水ホースを接続連結して用いられる排水トラップに関するものである。
【０００２】
【従来の技術】
従来の排水トラップは、ホースジョイントが設けられ、洗濯機の排水ホースと接続され、排水ホースから流出する廃水（汚水）を床下に配設した排水管に案内するために用いられており、廃水はホースジョイントから排水トラップ内に流れ込んで、排水管側へ送られる構造となっている。例えば、実用新案第２５２７３３７号公報或いは特開平９−２０９４３１号公報での排水トラップでは、既存の排水管に対してトラップを簡単に形成できる組み込み式の排水トラップが提案されていて、この排水トラップを用いることで、通常の排水管に洗濯機の排水を流す場合でも臭気の逆流を防止することができる。
【０００３】
【発明が解決しようとする課題】
この従来の排水トラップは、床面に据え付けるのには開口部に取付ネジで蓋体を固定するため取付孔にネジ止めした床取付けネジ部がほこり等のゴミ溜まりとなって汚れやすく不体裁となるし、手入れが面倒であり、またパッキンホルダーをねじ込み取り付けると緩み現象で外れたり、パッキンの機能をはたさなくなって水漏れや、溢水などが生じやすく床面が水浸しになり拭きとり作業を行わなくてはならない問題があった。
また、予め定められた管径の筒状部が下方向に突出しているので、この筒状部と排水管の管径が異なる場合、対応できず、製造作業や施工作業の複雑化や煩雑化を招くという問題があった。また、排水管の管径が小さいものでは、特に排水管内に封水筒を装入する形態では、トラップ形成機構が挟隘部分に納められるために排水流路が十分確保できないので、洗濯機から排出される水は洗濯槽に多量の水が溜まっている場合には、かなりの水圧を伴って排水されるため、溢流・漏水現象が多発し床面上に防水パンなどが必要となり不経済で体裁も悪い。しかも、洗濯の際に生ずる糸くずなどその他のごみ類が流路に詰って水捌けが悪くなるし、掃除をも頻繁にしなくてはならない問題もあった。
【０００４】
本発明は、これら従来の不便さを排除しようとするもので、床面に排水トラップの蓋体をネジ止めしてもこの床取付けネジ部は覆われてネジ部でのゴミ溜まりがなく体裁良好で外観品位も高められ手入れも簡単であり、緩み止めが確実で水漏れ現象もなく安全性を大巾に高めることができるし、洗濯機の排水の際に排水量が増加しても外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる低コストで手入れも簡単な排水トラップを提供することを目的としている。
【０００５】
【課題を解決するための手段】
本発明は、床面に取り外し可能に備えられて、床面開口部を覆う蓋体に、床面開口部に嵌挿される排水管が連結される排水管接続部と、洗濯機排水ホースがホースジョイントを介して連結されるホース接続部とを設け、該ホース接続部に形成したネジ部にパッキンホルダーを着脱自在に螺合して、前記蓋体と、該蓋体に形成した取付孔のある床取付けネジ部を覆うようにカバーを設けた前記パッキンホルダーを介してホースジョイントとを被覆一体化する構成としたもので、前記蓋体の排水管接続部と前記ホースジョイントとに嵌挿保持されるスロートと、該スロートに嵌合される封水管体とを排水管内に配備したものである。
【０００６】
請求項１記載の発明によれば、床面上に載置される蓋体のホース接続部に形成したネジ部にパッキンホルダーを着脱自在に螺合して、前記蓋体と、該蓋体に形成した取付孔のある床取付けネジ部を覆うようにカバーを設けたパッキンホルダーを介してホースジョイントとを被覆一体化した構成としているので、床面に排水トラップの蓋体をネジによってネジ止めしてもこの床取付けネジ部は覆われてネジ部でのゴミ溜まりがなく体裁良好で外観品位も高められ手入れも簡単であり、パッキンホルダーによって緩み止めが確実で水漏れ現象もなく安全性を大巾に高めることができるし、蓋体にパッキンホルダーがねじ込み取付けられて締め付けられ、蓋体の床取付ネジ部を覆ってカバーするため、床取付ネジ部のゴミ溜まりがなく体裁良好に用いられるほか、排水トラップでの排水流路が十分確保でき漏水することなく、排水管路内での高流速の維持が確実にできてごみ詰り現象がなく安全に用いられ、しかもホースジョイント、封水筒体やスロートのトラップ形成体が着脱自在なので、排水口からホースジョイント、トラップ形成体を取り外して清掃することが可能である。
【０００７】
本発明では、この排水トラップにおいて、前記蓋体の上面とパッキンホルダーの下面との接合対面位置に設けたロック機構により係止結合した構成とし、さらに前記蓋体とホースジョイントとの間にシールラバーリングのシール部材を介在配備し、かつ該シール部材のシール面に断面山形の突条を間隔をおいて配列したことと、請求項２の記載のように前記ホースジョイントが、エルボ管体で管体外周に前記パッキンホルダーに圧接される円錐状のフランジ部を突設したことで、排水管路内への排水もスムーズで水密状態をも確実に保って排水でき、漏水防止に寄与するようにするのがよい。
【０００８】
また、本発明では請求項３記載の排水トラップにおいて、前記スロートが蓋体の排水管接続部に嵌装保持される大径筒部に傾斜壁からなるテーパー筒部を介して、小径筒部を一体成形した管体であって、該スロートの大径筒部に嵌合される保持筒部に連結片を介して設けられ、略全周面に開口のある封水筒体を排水管内で、前記スロートの小径筒部の外周部と下部とに流水用の隙間をあけて配備したことで、排水トラップでの排水流路が十分確保でき漏水することなく、排水管路内での高流速の維持が確実にできてごみ詰り現象がなく安全に用いられ、しかもホースジョイント、封水筒体やスロートのトラップ形成体が着脱自在なので、排水口からホースジョイント、トラップ形成体を取り外して清掃することが可能である。
【０００９】
さらに、本発明では請求項４および５記載の排水トラップにおいて、前記封水筒体の保持筒部を前記スロートの大径筒部外周と、前記蓋体の排水管接続部内周との間に嵌装し、該保持筒部の開口端を前記スロートの大径筒部とともに、前記ホースジョイントに圧接保持したことと、前記保持筒部の下端に一対の断面コ字状の連結片によって、カップ状の封水筒体を垂下状態に一体成形し、前記排水管内に流水用の隙間をあけて配備し、前記封水筒体を支持する連絡片に前記スロートのテーパー筒部を載置する傾斜面を備えたことで、トラップ形成体の位置決めが確実に維持でき、臭気の逆流防止も可能で排水トラップ機能を十分発揮できると共に、排水流路の確保も充分とれて排水管路内での安全性を高められる。
【００１０】
【発明の実施の形態】
以下、本発明の実施の形態を図面を参照して説明する。
この実施の形態における排水トラップは、図１乃至図８に示すように、床面Ａの床面開口部Ｂを覆い床面上に載置固定され、排水管Ｃに連結される蓋体１にホース接続部２と、排水管接続部３とを備え、該ホース接続部２に一端口部４が嵌挿され、かつ他端口部５が洗濯機排水ホースＤに嵌挿されるホースジョイント６と、該ホースジョイント６の外部に挿入され、かつ前記蓋体１の排水管接続部３に嵌装保持される大径筒部７１に傾斜壁からなるテーパー筒部７２を介して、小径筒部７３を一体成形したスロート７を嵌合配備すると共に、該スロート７の大径筒部７１に嵌合される保持筒部８１に連結片８２を介して設けられ、略全周面に開口８４のある封水筒体８を排水管Ｃ内で前記スロート７の小径筒部７３の外周部と下部とに流水用の隙間９，１０をあけて配備し、前記蓋体１にシール部材１１を介して、前記ホースジョイント６が接続連結しうるパッキンホルダー１２を着脱自在に装備されて保持するようにしている。
そして、前記蓋体１のホース接続部２に形成したネジ部１５にパッキンホルダー１２を着脱自在に螺合したものであって、前記蓋体１と、該蓋体１に形成した取付孔１４のある床取付けネジ部を覆うようにカバーを設けた前記パッキングホルダー１２を介して前記蓋体１と前記ホースジョイント６とを被覆一体化すると共に、前記蓋体１の下面とパッキンホルダー１２の上面との接合対面位置に設けたロック機構例えば、歯形面、ギザ面或いは凹凸面部２１，２２により係止結合した構成としてある。
【００１１】
【実施例】
本発明の実施例では、床面Ａの開口部Ｂに嵌合された円板状の前記蓋体１は、図３の如く板面に取付孔１４を適宜設け、板面中央下部に設けた排水管接続部３の開口端に前記封水筒体８の保持筒部８１を嵌支するフランジ３１を設け、筒状の排水管接続部３の外周に排水管Ｃを嵌合連結してあり、また前記封水筒体８の保持筒部８１を前記スロート７の大径筒部７１の外周と、前記蓋体１の排水管接続部３の内周との間に嵌装し、該保持筒部８１の開口８４を前記スロート７の大径筒部７１とともに、前記ホースジョイント６に圧接保持してあって、該封水筒体８の内周部と下部とに流水用隙間９，１０をあけて封水筒体８中に嵌挿保持される筒状のスロート７を嵌装配備して排水トラップとしてある。
【００１２】
この場合、前記保持筒部８１の下端に一対の断面コ字状の連結片８２によって、カップ状の封水筒体８を垂下状態に一体成形し、前記排水管Ｃ内に流水用の隙間をあけて配備するが、この封水筒体８を支持する連結片８２には前記スロート７のテーパー筒部７２を載置する傾斜面８３を備えて位置決め載置が容易で、前記テーパー筒部７２によって、反転流はそれだけ排水に与える抵抗を小さくすることができるし、また前記蓋体１には、該蓋体１に形成した取付孔１４のある床取付けネジ部を覆うようにカバーを設けた前記パッキンホルダー１２が、前記蓋体１のホース接続部２となる外側筒部内に嵌着され、シール部材１１を介して、前記ホースジョイント６を蓋体１に封水密着配備して、水密性を維持できる。（図１及び図２）
【００１３】
前記蓋体１は、耐衝撃性、耐腐性、および耐熱性などに優れたＡＢＳ樹脂などで円板状に成形され、開口部Ｂを覆い床面Ａにネジによって固着できる複数の取付孔１４（本実施形態では３個）が周方向に間隔をおいて穿設されている。この蓋体１の上面部には筒状のホース接続部２が一体的に突出成形され、かつ蓋体１の下面部には排水管接続用の外側筒部からなる排水管接続部３が垂下して一体的に突出成形されている。これらホース接続部２と排水管接続部３とは、最も多用されるパイプ状の排水管Ｃ又はホースジョイント６とが接続可能なように、同心的に突設され、ホース接続部２の内周面にパッキンホルダー１２の螺合用のネジ部１５が、また排水管接続部３の内周面にはフランジ３１がそれぞれ形成されている。（図３）
【００１４】
即ち、この排水管接続部３の外周面に前記排水管Ｃが嵌装され、内周面には前記封水筒体８の保持筒部８１とスロート７の大径筒部７１とが重なって嵌合され、フランジ３１によって、垂下状態で同心的に着脱自在に保持され、排水管Ｃ内に排水トラップとして嵌挿支持して用いられる。（図１）
【００１５】
前記ホースジョイント６としては、図５に示す如く前記蓋体１に嵌合する円環状のフランジ部１６を備えた筒体６１の一端口部４と、該一端開口部４のフランジ部の中心孔にホース受けパイプの他端口部５を形成してエルボ管体とすると共に、フランジ部１６の下面にシールリングなどのシール部材１１の嵌合凹溝を設け、かつ上面にスペーサ或いはＯリングなどを乗せられるテーパー部或いは嵌合段部を設け、該テーパー部に嵌装されたパッキンホルダー１２によって、蓋体１のホース接続部２に着脱自在に圧接保持できるようにしてある。（図１及び図２）
【００１６】
この場合、エラストマーなどの軟性樹脂からなるエルボ管体の前記ホースジョイント６は、回動操作部１７とシール面部１９及びネジ部１８とのあるパッキンホルダー１２（図４）で、蓋体１に締め付けることにより、ホースジョイント６の蓋体１に相対するフランジ部１６が押し付けられるので、水密に保った状態で強固に接続することができる。
このように、前記ホースジョイント６を中空円筒状のパッキンホルダー１２を介して着脱自在に蓋体１に保持するので、施行工事も簡便で汎用性に富み、しかもパッキンホルダー１２を回動して締めつけると、封水筒体８の保持筒部８１とスロート７の大径筒部７１との開口端がホースジョイント６のフランジ部１６のテーパー面（肩部の段付面）に押しつけられて水密保持を確実化できるほか、パッキンホルダー１２を締め付けた脱が簡便にできる。
【００１７】
前記封水筒体８は軽量性、耐熱性に優れたＰＰ樹脂などで、カップ状の湾曲有底円筒形に成形され、その周面上部に開口８４を有し、一対の連結片８２を介して保持筒部８１が備えられ、前記排水管接続部３の内周に嵌装保持されて用いられる。（図６）
また、前記封水筒体８の底部に湾曲部を形成することにより排水の流れに溜まりや衝突をできるだけなくして、より良い排水の流れを形成することができる。
さらに、封水筒体８内に図７に示すスロート７の小径筒部７３が同心的に配備されるが、スロート７の大径筒部７１を前記保持筒部８１内に嵌装すれば前記連結片８２に形成した傾斜面８３にスロート７のテーパー部７２が載置されて、流水用の隙間９，１０を保って適確な位置決めが行われ、トラップ機構として着脱自在に嵌入保持される。
さらに、前記連結片８２の側面は、スロート７の小径筒部７２に同心円状に湾曲した外側面に沿ったものとして、位置決め保持が確実化される。
【００１８】
例えば、前記封水筒体８の周方向にほぼ全周にわたって広く開いた開放型の開口８４からオーバーフローして噴出された水流は、スロート７のテーパー筒部７２に衝突し、排水管Ｃ内に封水筒体８で構成される空間周辺を中心に強い乱れを伴なう反転流を形成することとなり、この形式の流れ場は広い範囲の乱れをもっていて、特に比較的規模の大きな巻き込み流を発生させることができるため、封水筒体８の壁付近の流速は激しく外周方向に誘導されて、洗剤等の管壁への付着を防げる効果をもつほか、下流の半径方向流速分布にも影響を与え、流路が縮小している流れ場においては、縮小している側（この場合には、円心円外側方向ヘの流速も増大し、この結果、その下流部においても管壁近傍の高流速が維持されて管内流を形成し、管路流の閉塞現象やごみ詰り現象の発生がなく有効に用いられる。
【００１９】
さらに、前記封水筒体８には、貯留水中に漬かる筒状のスロート７のトラップ形成体によりトラップ機構を備えるが、図７に示す如くこのトラップ形成体のスロート７は、ＰＰ樹脂で円筒形に成形され、上部から下部にかけて嵌合部としての大径筒部７１、テーパー筒部７２および小径筒部７３がそれぞれ形成されており、該小径筒部７３前記封水筒体８との間に流通用の隙間９，１０が形成されるようになっている。（図１）
【００２０】
前記ホースジョイント６の固定用のパッキンホルダー１２としては、図４に示すように、前記蓋体１に形成した取付孔１４のある床取付けネジ部を覆うようにカバーを設けると共に、中央にホースジョイント６の嵌合孔１２１を有する中空円筒体からなり、すべり防止用の凹凸面からなる回動操作部１７を外側に設け、シール面部１９のある筒部１２２にスリット部１３と、ネジ部１８とを備え、前記蓋体１に封水筒体８及びスロート７を嵌入したのち、シール部材１１を介してホースジョイント６の一端開口４を被覆し、パッキンホルダー１２を装着すれば封水筒体８及びスロート７からなるトラップ形成体を容易に組み入れセットすることができる。
【００２１】
なお、前記蓋体１に設けられる排水管接続部２として、排水管Ｃを嵌装保持する外側筒部と、前記封水筒体８の保持筒部８１およびスロート７の大径筒部７１を嵌装保持する内側筒部とを突設して、異径パイプでの適用施工が容易にできるようにしてもよいし、排水管Ｃの内径が大きい場合にはＡＢＳ製のブッシュ（図示せず）を嵌合介在して蓋体１の排水管接続部３を嵌装した形態で用いてもよい。
【００２２】
上記構成によれば、前記蓋体１の下面部から管径の異なる２種類の排水管接続部２があることになり、排水管Ｃの管径が大きい場合、小さい場合でも、排水管Ｃに適切に選択して接続することが可能である。したがって、この排水管Ｃの管径に応じて複数の排水トラップを用意する必要性が全くなく、これを通じて製造作業や施工作業の大幅な簡素化、効率化、および容易化などが期待できる。また、蓋体１がＡＢＳ樹脂などの合成樹脂で一体成形されているので、さびることがなく、清潔性を大いに維持することができるとともに、取扱いがきわめて容易となる。
【００２３】
また、前記蓋体１は、下部に筒状の排水管接続部３を備えた環状板からなり床面Ａにネジ止めされることにより、蓋体１で排水口となる床面開口部Ｂが覆われて床面Ａに固定される。
これら実施例において、前記蓋体１とホースジョイント６との間にシールラバーリングのシール部材１１を介在配備した場合、図８に示すようにシール部材１１の上下両面或いは片面のシール面に断面山形の突条２０を間隔をおいて複数配列してシール性を高めたことや、各接続部には必要に応じ段差部を形成してシール性を適確化すること、排水配管系ではテーパー部を介在させて流過性を円滑化することが配慮される。
【００２４】
図１或いはその他例のいずれの例でも、洗濯機に排水トラップを取り付けるには、まず、床面Ａに設けられた排水管Ｃの管径を確認し、蓋体１の排水管接続部３に排水管Ｃを固着接続する。次いで、床面に蓋体１を複数の取付孔１４からネジで固着し、排水管接続部３に封水筒体８を嵌入垂下させるとともに、この封水筒体８にトラップとなるスロート７を嵌入保持させる。そして、前記蓋体１にホースジョイント６をシール部材１１を介して上方から嵌合しパッキンホルダー１２によって定着し、ホースジョイント６の他端開口５のホース受けパイプに洗濯機のホースＤを挿入接続すれば、排水トラップの施工作業を終了することができる。
【００２５】
このような状態で洗濯機のホースＤから汚水が流れてくると、この汚水は、ホースジョイント６からスロート７、封水筒体８を経て開口８４より排水管Ｃに流出する。なお、この排水管Ｃを経由してくる悪臭は、前記パッキンホルダー１２でシールされ前記封水筒体８に貯えられた洗水のトラップ作用により、スロート７および排水筒体８からなるトラップ形成体に流れ込むのを確実に抑制防止される。
【００２６】
【発明の効果】
本発明は、床面に取り外し可能に備えられて、床面開口部を覆う蓋体に、床面開口部に嵌挿される排水管が連結される排水管接続部と、洗濯機排水ホースがホースジョイントを介して連結されるホース接続部とを設け、該ホース接続部に形成したネジ部にパッキンホルダーを着脱自在に螺合して、前記蓋体と、該蓋体に形成した取付孔のある床取付けネジ部を覆うようにカバーを設けたパッキンホルダーを介してホースジョイントとを被覆一体化した構成としたもので、蓋体の排水管接続部と前記ホースジョイントとに嵌挿保持されるスロートと、該スロートに嵌合される封水管体とを排水管内に配備したことにより、床面に排水トラップの蓋体をネジ止めしてもこの床取付けネジ部は覆われてネジ部のゴミ溜まりがなく体裁良好で外観品位も高められ手入れも簡単であり、緩み止めが確実で水漏れ現象もなく安全性を大巾に高めることができるし、洗濯機の排水の際に排水量が増加しても外部に溢れることなく、水密状態を保って確実に排出できると共に、下流側から臭気の逆流も確実に止めることができる。
また、本発明では蓋体にパッキンホルダーがねじ込み取付けられて締め付けると緩み止めとなると共に、蓋体の床取付ネジ部を覆ってカバーするため、床取付ネジ部のゴミ溜まりがなく体裁良好に用いられるほかトラップ機構を封水筒体が開放型で、排水管内に装備でき、かつ排水口の床面開口部を覆蓋体に着脱自在に保持するので、排水中の糸くづ髪毛などのごみ類の引掛かりがなく、排水トラップ機能をも十分に発揮できる配管接続ができ、施行工事も簡便で汎用性に富み、しかもトラップ機構が封水筒体の周方向に開口して排水管内に納められるので、排水流路を十分に確保できごみ類の詰り現象がなく、殊に排水管内に封水筒体で構成される空間周辺を中心に強い乱れを伴なう反転流を形成することとなり、この形式の流れ場は広い範囲の乱れをもっていて、特に比較的規模の大きな巻き込み流を発生させることができるため、封水筒体の壁付近の流速は激しく外周方向に誘導されて、洗剤等の管壁への付着を防げる効果をもつほか、下流の半径方向流速分布にも影響を与え、流路が縮小している流れ場においては、縮小している側の流速も増大し、この結果、封水筒部以降の下流部においても管壁近傍の高流速が維持され管内施回流を形成して、管路流の閉塞現象の発生がなく有効に用いられ清掃作業を頻繁にする必要がなく取扱い安全な排水トラップを安価に製造することができるなどの効果がある。
さらに本発明では前記蓋体とホースジョイントとの間にシールラバーリングのシール部材を介在配備し、かつ該シール部材のシール面に断面山形の突条を間隔をおいて配列したことと、前記ホースジョイントが、エルボ管体で管体外周に前記パッキンホルダーに圧接される円錐状のフランジ部を突設したことで封水性を高め漏水防止に寄与し、臭気の逆流洩れもなく安全に用いられる。
【図面の簡単な説明】
【図１】  本発明に係る排水トラップを使用した状態を示す縦断面図である。
【図２】  図１の例の分離状態を示す斜視図である。
【図３】  図１の例の蓋体を示し、（ａ）はその平面図、（ｂ）はその縦断面図である。
【図４】  図１の例のパッキンホルダーを示し、（ａ）はその平面図、（ｂ）はその縦断面図である。
【図５】図１の例のホースジョイントを示し、（ａ）はその側面図、（ｂ）はその縦断面図、（ｃ）はｄ−ｄ線における拡大縦断面図である。
【図６】図１の例の封水筒体を示し、（ａ）はその平面図、（ｂ）はそのｂ−ｂ線における縦断面図、（ｃ）はｃ−ｃ線における縦断面図である。
【図７】図１の例のスロートを示し、（ａ）はその平面図、（ｂ）はその縦断面図である。
【図８】図１の例のシール部材を示し、（ａ）はその平面図、（ｂ）はその縦断面図である。
【符号の説明】
Ａ        床面
Ｂ        床開口部
Ｃ        排水管
Ｄ        排水ホース
１        蓋体
２        ホース接続部
３        排水管接続部
３１      フランジ
４        一端開口
５        他端開口
６        ホースジョイント
７        スロート
７１      大径筒部
７２      テーパー筒部
７３      小径筒部
８        封水筒体
８１      保持筒部
８２      連結片
８３      傾斜面
８４      開口
９，１０  流水用隙間
１１        シール部材
１２        パッキングホルダー
１２１      嵌合孔
１２２      筒部
１３        スリット部
１４        取付孔
１５        ネジ部
１６        フランジ部
１７        回動操作部
１８        ネジ部
１９        シール面部
２０        突条
２１，２２  凹凸面部
【図１】
0003946079.tif 000002
【図２】
0003946079.tif 000003
【図３】
0003946079.tif 000004
【図４】
0003946079.tif 000005
【図５】
0003946079.tif 000006
【図６】
0003946079.tif 000007
【図７】
0003946079.tif 000008
【図８】
0003946079.tif 000009